(57)【要約】【課題】表示部に表示される表示画像の視認性を向上できる多機能装置を提供する。【解決手段】被読取媒体の画像を読み取る画像読取部と、被記録媒体に画像記録を行う画像記録部とが、画像読取部を上側にして上下に配置されている。また、複数の情報を並べて表示する表示部を備え、その表示された複数の情報うち少なくとも一つはファイルから生成された画像とされている。【選択図】図１
2007259351.tif 000002
【特許請求の範囲】
【請求項１】
被読取媒体の画像を読み取る画像読取部と、被記録媒体に画像記録を行う画像記録部とを備えてなる多機能装置であって、
前記画像読取部と前記画像記録部とが、前記画像読取部を上側にして上下に配置されており、
複数の情報を並べて表示する表示部を備え、
その表示された複数の情報のうち少なくとも一つはファイルから生成された画像であることを特徴とする多機能装置。
【請求項２】
前記表示部は前記ファイルのファイル名を表示する第一表示領域および、該第一表示領域に表示された前記ファイル名のうち、選択されたファイルから生成された画像を表示する第二表示領域を備えることを特徴とする請求項１記載の多機能装置。
【請求項３】
複数の前記ファイルがグループに属しており、前記第一表示領域に、前記ファイルのファイル名と、そのファイルが属するグループのグループ名とが、階層構造として表示されることを特徴とする請求項２記載の多機能装置。
【請求項４】
前記表示部は前記ファイルのファイル内容を表示する第一表示領域および、該第一表示領域とは異なる態様で前記ファイルのファイル内容を表示する第二表示領域を備えることを特徴とする請求項１記載の多機能装置。
【請求項５】
前記ファイル内容は、ファイル名、画像、両面／片面データである請求項４記載の多機能装置。
【請求項６】
前記第一表示領域は前記画像の全体を表示し、前記第二表示領域は、前記画像の全体から選択された領域の拡大画像を表示することを特徴とする請求項４記載の多機能装置。
【請求項７】
前記表示部は、複数個の前記画像を一列に並べて表示することを特徴とする請求項１記載の多機能装置。
【請求項８】
前記表示部は、それぞれの前記画像と、その画像の付加情報を併せて表示することを特徴とする請求項７記載の多機能装置。
【請求項９】
前記表示部は、両面原稿の表面の画像と、裏面の画像とを同時に表示することを特徴とする請求項１記載の多機能装置。
【請求項１０】
被読取媒体の画像を読み取る画像読取部と、被記録媒体に画像記録を行う画像記録部とを備えてなる多機能装置であって、
前記画像読取部と前記画像記録部とが、前記画像読取部を上側にして上下に配置されており、
前記画像記録部が前記被記録媒体に前記画像記録を行う方向と、前記画像読取部が前記被読取媒体の画像を読み取る方向とは交差しており、
複数の情報を並べて表示する表示部を備え、
その表示された複数の情報のうち少なくとも一つはファイルから生成された画像であることを特徴とする多機能装置。
【発明の詳細な説明】
【技術分野】
【０００１】
本発明は多機能装置に関するものである。
【背景技術】
【０００２】
ＦＡＸ、コピー機、スキャナ等の多機能装置には、操作キーや表示部が設けられており、ユーザは操作キーを使って操作し、その操作状態を表示部で認識する。近年、このような多機能装置として、表示部に複数のページを同時に表示するものが開発されている。
【０００３】
例えば下記特許文献１には、複数ページを同時にプレビューする表示部を備えた複写機が開示されている。
【特許文献１】特開平８−７６６４８号公報
【発明の開示】
【発明が解決しようとする課題】
【０００４】
しかしながら特許文献１は、ファイルから生成された画像を表示対象としていない。また、一般にオフィスなどでは、縦横比が√２：１に規格されたＡ版用紙やＢ版用紙などの規格用紙や、国外との取引のため、縦横比が１１：８．５のいわゆるレターサイズの用紙が多用されているところ、縦横比が√２：１の複数原稿を画像読取部に読み取らせて得られた複数頁の画像データを従来のアスペクト比３：４の表示装置で縦幅分一杯まで表示させた場合、１頁分の画像データと２頁目の画像データの一部しか一画面内に表示させることができず、それ以上の画像を一画面内に表示させることはできない。もちろん、２頁分あるいはそれ以上の頁の画像を横並びに表示させることは当然にできない。２頁分あるいはそれ以上の頁の画像を横並びに表示させるには、表示させる画像のサイズを上記表示部の横幅を基準にして縮小させる必要があった。しかしながら、表示画像を縮小させた場合は、表示面積が小さくなり、画像の認識が困難となるばかりでなく、表示部の上部に未使用領域を生じさせることになり、表示部の有効利用を図ることができないという問題がある。
【０００５】
本発明は上述のような事情を背景になされたもので、特に、ファイルから生成された画像について有効な情報を表示部に表示する多機能装置を提供することを課題とする。また本発明は、表示部の有効利用を実現することが可能な多機能装置を提供することを第二の課題とする。
【課題を解決するための手段および発明の効果】
【０００６】
請求項１記載の発明は、
被読取媒体の画像を読み取る画像読取部と、被記録媒体に画像記録を行う画像記録部とを備えてなる多機能装置であって、
前記画像読取部と前記画像記録部とが、前記画像読取部を上側にして上下に配置されており、
複数の情報を並べて表示する表示部を備え、
その表示された複数の情報のうち少なくとも一つはファイルから生成された画像であることを特徴とする多機能装置である。
【０００７】
上記発明によると、表示部に複数の情報が表示されており、その複数の情報のうち少なくとも一つはファイルから生成された画像である。ユーザはこの画像を見ることにより、ファイルの内容をすぐに理解することができる。例えば、画像とファイル名を同時に表示したり、全体画像と拡大画像（詳細画像）を同時に表示したり、両面原稿の表面と裏面を同時に表示させることができる。
【０００８】
また、請求項２記載の発明は、
前記表示部は前記ファイルのファイル名を表示する第一表示領域および、該第一表示領域に表示された前記ファイル名のうち、選択されたファイルから生成された画像を表示する第二表示領域を備えることを特徴とする多機能装置である。
【０００９】
上記発明によると、表示部の一方（第一表示領域）でファイルの選択をし、他方（第二表示領域）でその選択されたファイルの画像を表示させることができる。これによりユーザは、ファイルを選択するだけでその内容をすぐに認識することができる。
【００１０】
請求項３記載の発明は、
複数の前記ファイルがグループに属しており、前記第一表示領域に、前記ファイルのファイル名と、そのファイルが属するグループのグループ名とが、階層構造として表示されることを特徴とする多機能装置である。
【００１１】
上記発明によると、ファイル名と、そのファイル名のグループ名が階層構造として表示される。このようにすると、表示中のファイルがどのグループに属するのかを確認することができる。
【００１２】
請求項４記載の発明は、
前記表示部は前記ファイルのファイル内容を表示する第一表示領域および、該第一表示領域とは異なる態様で前記ファイルのファイル内容を表示する第二表示領域を備えることを特徴とする多機能装置である。
【００１３】
上記発明によると、第一表示領域にファイル内容を表示し、第二表示領域は、第一表示領域とは異なる態様で表示をする。例えば第一表示領域に全体画像を表示し、第二表示領域に拡大画像を表示する。このようにすると、全体画像と拡大画像を両方とも同時に見ることができるため、ファイルの内容を理解しやすくなる。また、第一表示領域にファイル名を表示し、第二表示領域に画像を表示してもよい。
【００１４】
請求項５記載の発明は、
前記ファイル内容は、ファイル名、画像、両面／片面データである多機能装置である。
【００１５】
上記発明によると、例えば第一表示領域にファイル名を表示し、第二表示領域にそのファイルの画像を表示することができる。また、第一表示領域に表面を表示し、第二表示領域に裏面を表示することができる。
【００１６】
請求項６記載の発明は、
前記第一表示領域は前記画像の全体を表示し、前記第二表示領域は、前記画像の全体から選択された領域の拡大画像を表示することを特徴とする多機能装置である。
【００１７】
上記発明によると、第一表示領域に画像の全体が表示される。ユーザがその画像の一部を選択すると、その選択された部分の拡大画像が第二表示領域に表示される。これにより、例えば文字が小さくて表示画像がよく見えない場合でも、拡大画像を見ることによりファイルの内容をすぐに認識できるようになる。
【００１８】
請求項７記載の発明は、
前記表示部は、複数個の前記画像を一列に並べて表示することを特徴とする多機能装置である。
【００１９】
表示画面が横長の場合は、画像を横一列に並べて表示する。また、表示画面が縦長の場合は、画像を縦一列に並べて表示する。これにより、表示画面の未使用表示領域が少なくなり、画面を有効に利用することが可能になる。
【００２０】
請求項８記載の発明は、
前記表示部は、それぞれの前記画像と、その画像の付加情報を併せて表示することを特徴とする多機能装置である。
【００２１】
ここで付加情報とは、画像と関連付けて記憶されている情報であり、例えばページ番号や、ファイルのグループ名などを指す。上記発明によると、この付加情報を画像とともに表示部に表示する。これにより、画像に関して詳しい情報が表示され、ユーザはファイルの内容をより詳細に知ることができる。
【００２２】
請求項９記載の発明は、
前記表示部は、両面原稿の表面の画像と、裏面の画像とを同時に表示することを特徴とする多機能装置である。これにより、両面原稿の表面と裏面を同時に見ることが可能となる。
【００２３】
請求項１０記載の発明は、
被読取媒体の画像を読み取る画像読取部と、被記録媒体に画像記録を行う画像記録部とを備えてなる多機能装置であって、
前記画像読取部と前記画像記録部とが、前記画像読取部を上側にして上下に配置されており、
前記画像記録部が前記被記録媒体に前記画像記録を行う方向と、前記画像読取部が前記被読取媒体の画像を読み取る方向とは交差しており、
複数の情報を並べて表示する表示部を備え、
その表示された複数の情報のうち少なくとも一つはファイルから生成された画像であることを特徴とする多機能装置である。
【００２４】
上記発明の多機能装置では、画像記録部が被記録媒体に画像記録を行う方向と、画像読取部が被読取媒体の画像を読み取る方向が交差している。このような構造では、装置本体が断面視略正方形になる。また、横長の操作パネルができるため、ここに横長の表示部を配置することができる。横長の表示部であれば、複数の画像を並べて表示したり、画像とファイル名を同時に表示したりしやすい。
【発明を実施するための最良の形態】
【００２５】
以下、適宜図面を参照して本発明の実施形態について説明する。なお、以下の実施形態は本発明を具体化した一例にすぎず、本発明の要旨を変更しない範囲で、実施形態を適宜変更できることは言うまでもない。
【００２６】
図１は本発明の実施形態に係る多機能装置の一例である複合機１の外観構成を示す斜視図であり、図２は原稿カバー８が開けられた状態の複合機１の外観構成を示す斜視図である。図示するように、本複合機１は、下部に設けられたプリンタ部２(画像記録部に相当)と、上部に設けられたスキャナ部３(画像読取部に相当)と、スキャナ部３の正面側に設けられた操作パネル４とを一体的に備えたＭＦＤ（Multi Function Device）であり、プリンタ機能、スキャナ機能、コピー機能及びファクシミリ機能を有する。なお、本発明を実現するうえで、上記した全ての機能が複合機１に備えられている必要はなく、少なくとも２以上の機能が備えられていれば足りる。
【００２７】
スキャナ部３は、ＦＢＳ（Flatbed Scanner）として機能する原稿読取台６に対して、自動原稿搬送機構（ＡＤＦ：Auto Document Feeder、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００２８】
プラテンガラス１２は、縦幅より横幅が長い平面視で横長の長方形に形成されている。プラテンガラス１２は、平面視で縦幅はレターサイズ用紙の短辺に合う長さにされ、横幅はＡ４サイズ用紙の長辺に合う長さにされている。そのため、レターサイズ用紙もＡ４サイズ用紙も、両方とも画像読取ができるようになっている。
【００２９】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００３０】
このように構成されたスキャナ部３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００３１】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Contact Image Sensor）、或いは、縮小光学系のＣＣＤ（Charge Coupled Device）や、ＣＭＯＳ（Complementary Metal-Oxide Semiconductor：相補型金属酸化膜半導体）などを適用することができる。なお、画像読取ユニットやスキャナ部３の内部構成の構成は本発明に直接関係がないので、ここでは詳細な説明は省略する。
【００３２】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読取りは、原稿カバー８が原稿読取台６に対して閉じられた状態で行われる。なお、本発明においてＡＤＦ７は任意の構成であり、スキャナ部３がＡＤＦ７を具備せず、ＦＢＳとしてのみ画像読取を行うものであってもよい。したがって、ＡＤＦ７の詳細な説明については省略する。
【００３３】
プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。スキャナ部３とプリンタ部２は、それらの背面が同一面となるように位置決めされているため、複合機１の背面は凸凹のない平坦形状となっている。なお、言うまでもないが、上記インクジェット方式はプリンタ部２による画像記録方式の単なる一例であり、電子写真方式や熱転写方式などの種々の画像記録方式を採用することができるのはもちろんである。
【００３４】
複合機１の正面側、換言すれば、プリンタ部２の正面側には開口５が形成されている。この開口５内に給紙トレイ１４(被記録媒体収容部に相当)及び排紙トレイ１５が設けられている。給紙トレイ１４と排紙トレイ１５は上下二段となるように配設されており、上段に排紙トレイ１５が設けられ、その下方に給紙トレイ１４が設けられている。給紙トレイ１４は、長方形の記録用紙を平面視で縦向きに収容するものである。給紙トレイ１４は、レターサイズ用紙とＡ４サイズ用紙の両方が使用できるように、横幅はレターサイズ用紙の短辺に合わせてあり、縦幅はＡ４サイズ用紙の長辺に合わせてある。
【００３５】
プリンタ部２の正面側の端面１７は、上述したように原稿読取台６が横長の直方体に形成されているため、スキャナ部３の正面側の端面１８から所定幅だけ正面側に突出している。以下、このように正面側に突出したプリンタ部２の正面側の端部を突出部１６と称する。なお、プリンタ部２の横幅はスキャナ部３の横幅に合わせて形成されている。従って、複合機１は平面視で略正方形をなしている。
【００３６】
上述したように、原稿読取台６はレターサイズの原稿を横向きに載置可能なサイズに形成され、給紙トレイ１４は記録用紙を縦向きに載置可能なサイズに形成されているため、上記突出部１６の突出幅は、Ａ４サイズの長辺からレターサイズの短辺を差し引いた幅に概ね設定される。従って、突出部１６の上方には、プリンタ部２の横幅がスキャナ部３の横幅に合わせて形成されていることもあって、横長の直方体の空きスペースが生まれる。なお、後段で詳述するが、本複合機１の操作パネル４は当該空きスペースに配設される。
【００３７】
プリンタ部２には、給紙トレイ１４の奥側から上方へ延びた後に正面側へＵ字状に湾曲して排紙トレイ１５に連結される用紙搬送路が設けられている。給紙トレイ１４に収容された記録紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００３８】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ部３の縦幅からプリンタ部２の縦幅を減じた長さ(空きスペースの縦幅)に収まる寸法に形成されている。操作パネル４は、プリンタ部２やスキャナ部３を操作するためのものであり、各種操作キー４０と液晶表示部（ＬＣＤ：Liquid Crystal Display）４１(表示部に相当)とを具備する。使用者は、操作パネル４を用いて、所望の指令を入力することができる。複合機１に所定の指令が入力されると、その入力された情報に基づいて該複合機１の動作が制御部２０によって制御される。操作パネル４の具体的な構成については後段で詳述する。なお、複合機１は、操作パネル４から入力された指令のほか、コンピュータに接続されて該コンピュータからプリンタドライバやスキャナドライバ等を介して送信される指令に基づいて動作するようにシステム構成されている。
【００３９】
プリンタ部２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって液晶表示部４１に表示される。或いは、選択された任意の画像がプリンタ部２において記録用紙に記録される。
【００４０】
以下、図３のブロック図を参照しながら、上記複合機１の動作を制御する制御部２０の概略構成について説明する。ここに、図３は、複合機１の制御部２０の概略構成を示すブロック図である。制御部２０は、プリンタ部２、スキャナ部３及び操作パネル４を含む複合機１の動作を統括的に制御するものである。制御部２０は、図に示すように、ＣＰＵ（Central Processing Unit）２１、ＲＯＭ（Read Only Memory）２２、ＲＡＭ（Random Access Memory）２３、ＥＥＰＲＯＭ（Electrically Erasable and Programmable ROM）２４を主とするマイクロコンピュータとして構成されており、バス２５を介してＡＳＩＣ（Application Specific Integrated Circuit）２６に接続されている。
【００４１】
図５に示すように、ＲＯＭ２２には、画像表示プログラム２２ａ、ファイル名表示プログラム２２ｂ、階層表示プログラム２２ｃ、別態様表示プログラム２２ｄ、拡大表示プログラム２２ｅ、一列表示プログラム２２ｆ、付加情報表示プログラム２２ｇ、表裏表示プログラム２２ｈ等の各種プログラムが格納されている。画像表示プログラムは、液晶表示部４１に表示される複数の情報のうち少なくとも一つを、ファイルから生成された画像にするプログラムである。ファイル名表示プログラム２２ｂは、第一表示領域５８にファイルのファイル名を表示し、その表示されたファイル名のうち選択されたファイルから生成された画像を第二表示領域５９に表示するプログラムである。また、階層表示プログラム２２ｃは、第一表示領域５８にファイル名と、そのファイル名が属するグループのグループ名を階層構造として表示するプログラムである。別態様表示プログラム２２ｄは、第一表示領域５８にファイルのファイル名を表示し、第二表示領域５９に、第一表示領域５８とは異なる態様でファイルのファイル名を表示するプログラムである。拡大表示プログラム２２ｅは、第一表示領域５８に画像の全体を表示し、第二表示領域５９に、画像の全体から選択された領域の拡大画像を表示するプログラムである。一列表示プログラム２２ｆは、液晶表示部４１に、複数個の画像を一列に並べて表示させるプログラムである。付加情報表示プログラム２２ｇは、液晶表示部４１に、複数個の画像と、その画像の付加情報を併せて表示するプログラムである。表裏表示プログラム２２ｈは、両面原稿の表面の画像と、裏面の画像とを液晶表示部４１に同時に表示するプログラムである。これら画像表示プログラム２２ａ、ファイル名表示プログラム２２ｂ、階層表示プログラム２２ｃ、別態様表示プログラム２２ｄ、拡大表示プログラム２２ｅ、一列表示プログラム２２ｆ、付加情報表示プログラム２２ｇ、表裏表示プログラム２２ｈをＣＰＵ２１がＲＡＭ２３にロードして実行することにより、画像表示手段、ファイル名表示手段、階層表示手段、別態様表示手段、拡大表示手段、一列表示手段、付加情報表示手段、表裏表示手段がそれぞれ実現される。
【００４２】
図３に戻る。ＡＳＩＣ２６は、ＣＰＵ２１からの指令に従い、プリンタ部２、スキャナ部３、操作パネル４、及びスロット部７２の動作制御を行う。プリンタ部２、スキャナ部３及びスロット部７２は、詳細な説明は省略するが、制御部２０により、プリンタ部２を駆動するモータやインクジェット記録ヘッド、スキャナ部３のＡＤＦ７を駆動するモータや画像読取ユニット等の動作が制御される。
【００４３】
ＡＳＩＣ２６には、複合機１に所望の指令を入力する操作キー４０を制御するパネルゲートアレイ２７が接続されている。パネルゲートアレイ２７は、操作キー４０の押下を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４４】
ＡＳＩＣ２６には、液晶表示部４１の画面表示を制御するＬＣＤコントローラ２８が接続されている。ＬＣＤコントローラ２８は、ＣＰＵ２１の指令に基づいて、液晶表示部４１にプリンタ部２又はスキャナ部３の動作に関する情報や、読取画像或いは入力画像を画面に表示させる。
【００４５】
また、ＡＳＩＣ２６には、コンピュータとパラレルケーブル又はＵＳＢケーブルを介してデータの送受信を行うためのパラレルインタフェース２９及びＵＳＢ端子７１が接続されている。さらに、ＡＳＩＣ２６には、ファクシミリ機能を実現するためのＮＣＵ（Network Control Unit）３１やモデム３２が接続されている。
【００４６】
以下、複合機１の操作パネル４について詳細に説明する。図１および図２に示すように、操作パネル４は、プリンタ部２の突出部１６の上方であって、スキャナ部３の正面側に設けられている。この操作パネル４は、各種操作キー４０と液晶表示部４１とを具備する。
【００４７】
図４は、操作パネル４の構成を示す部分平面図である。同図に示すように、液晶表示部４１は、平面視が横長矩形であり、その縦幅（縦寸法）が操作パネル４の奥行き寸法より若干小さいものの、該操作パネル４の奥行き寸法と略同寸法に形成されている。したがって、液晶表示部４１の奥側及び手前側には、操作パネル４に操作キー４０を配置するためのスペースがない。換言すれば、液晶表示部４１は、操作パネル４に配置可能な最大の縦幅に大型化されている。
【００４８】
液晶表示部４１は、図４に示すように、操作パネル４の幅方向の中央に配置されている。液晶表示部４１の幅寸法は、操作パネル４の幅寸法に比べると十分に小さい。したがって、液晶表示部４１の側方には、操作パネル４に操作キー４０を配置するためのスペースが確保されている。液晶表示部４１を操作パネル４の中央に配置することにより、液晶表示部４１の左右両側に操作キー４０を配置することができる。これにより、操作キー４０の配置に対する液晶表示部４１の位置のバランスがよくなる。
【００４９】
操作キー４０は、液晶表示部４１の周囲に設けられた操作キー４０Ａ、操作パネル４の右端側に設けられた操作キー４０Ｂ、操作パネル４の左端側に設けられた操作キー４０Ｃの３つに大別される。操作キー４０Ａは、液晶表示部４１の周囲であって、左右の両側方に液晶表示部４１の側縁に沿って各々一列に配置されている。このように、液晶表示部４１の左右両側に操作キー４０Ａを配置することにより、液晶表示部４１の側方のスペースを有効利用できる。
【００５０】
次に、液晶表示部４１の表示例を図６〜図９に示す。これらは、例えばＦＡＸ送信されたドキュメントを電子データのまま表示させたり、スキャナ部３によって読み取ったデータを表示させたり、複合機１に接続されたコンピュータから送信したファイルを表示させたりしたものである。図６の表示例は、ファイルの内容を確認表示するためのモード（以下、内容確認表示モードという）である。このように、液晶表示部４１に複数の情報（画像５０、ファイル名５１、ページ番号５２、グループ名５３）が表示されている。例えば１枚目のページはファイル名５１が「○○＿０００１＿０１＿ｓｉ」であり、そのファイル名５１の上に画像５０が表示されている。このように表示することで、ファイル名５１の内容（画像５０）を一目で認識することができる。また、本実施例では、４枚分の画像５０を一度に表示しているため、表示効率が高い。
【００５１】
液晶表示部４１は、縦幅に対する横幅の比が４／３以上となっており、横長に形成されている。そのため図６に示すように、Ａ４サイズまたはレターサイズの原稿を読み取った画像５０を縦向きにして、横方向に一列に表示できる。また各画像５０の下部には、上述したようにファイル名５０、ページ番号５２が表示されるので、未表示領域が殆どなく、画面を有効に活用できる。
【００５２】
一方、液晶表示部４１には右三角マーク５６が表示されている。これは、画像が５ページ以上存在する場合に表示されるマークで、左右キー５５（図１、図２参照）を右側に押し続けると、５ページ以降の画像が表示される。また、５ページ以降の画像が表示された場合、液晶表示部４１には左三角マーク（図示しない）が表示される。これによりユーザは、１〜４ページ目の画像５０が存在することを直ぐに認識できる。
【００５３】
液晶表示部４１の上部にはグループ名５３が表示されており、表示中の画像は全てこのグループに属している。上下キー５４（図１、図２参照）を操作すると、グループ名５３が変わり、別のグループの画像５０が表示される。
【００５４】
図１０に、ファイルの構造を示す。このように、それぞれのファイルには第１階層名（グループ名５３）、第２階層名（ページ番号５２）、両面／片面情報５７、画像５０が含まれる。ＦＡＸ送信されたデータの場合は、これらの他に日付、時刻、送信者の氏名などが併せて記憶される。また、両面／片面情報５７が両面の場合は、画像５０に表面と裏面のデータが両方とも記憶される。なお、上述したファイル名５１（図６）は、グループ名５３、ページ番号５２、両面／片面情報５７を足して構成される。例えば、グループ名５３が「○○＿０００１」、ページ番号５２が「０００１」、両面／片面情報５７が片面（ｓｉｎｇｌｅ）の場合は、ファイル名５１が「○○＿０００１＿０１＿ｓｉ」となる。同様に、両面／片面情報５７が両面（ｄｏｕｂｌｅ）の場合は、ファイル名の末尾がｄｂになる。
【００５５】
次に、図７の表示例について説明する。この表示は、ファイルの構成全体と、個々の画像５０を確認するためのモード（以下、全体確認表示モードという）である。この表示例では、液晶表示部４１は第一表示領域５８と第二表示領域５９に分かれており、それぞれに異なる態様でファイル内容を表示している。より詳しくは、第一表示領域５８にはファイル名５１と、グループ名５３が階層構造になって表示されている。この表示を見れば、グループ名５３が「○○＿０００１」の中には「○○＿０００１＿０１＿ｓｉ」等の４個のファイルが存在することを直ぐに認識できる。
【００５６】
また、操作パネル４に配置された上下キー５４（図１、図２参照）を押下操作することにより、ファイル名５１のうちいずれかを選択することができる。図７の表示例では、「○○＿０００１＿０２＿ｄｂ」が選択されている。また、第二表示領域５９には、選択されたファイルの画像５０が表示される。図７の表示例は、図６と比較すると画像５０を大きく表示できるので、細かい字などを認識しやすい。
【００５７】
上下キー５４を下側に押し続けると、次のグループ名５３である「○×＿０００１」に移り、さらに下側に押しつづけると、表示されていないグループ名５３やファイル名５１が表示される。
【００５８】
液晶表示部４１は、上述したように横長（縦幅に対する横幅の比が４／３以上）に形成されているため、図７に示すように液晶表示部４１を２つの表示領域５８，５９に分けたときに、それぞれの表示領域５８，５９を広くすることができる。そのためファイル名５１も画像５０も大きく表示でき、視認性がよくなる。
【００５９】
次に、図８の表示例について説明する。この表示例では、両面原稿の表面と裏面の画像を同時に表示している。画面の左側には表面の画像５０ｆが表示され、右側には裏面の画像５０ｂが表示される。このように両面とも同時に表示することにより、ファイルの内容を認識しやすくなる。例えば表面に細かい字が表示されており、裏面に大きな字が印刷されている場合、ユーザは裏面を見ただけでファイルの内容を把握することができる。
【００６０】
なお、図８の表示例では、表面のファイル名は「○○＿０００１＿０２＿ｄｂ＿ｆａｃｅ」とされており、表面（ｆａｃｅ）であることが一目で認識できる。また、同様にして裏面のファイル名は「○○＿０００１＿０２＿ｄｂ＿ｂａｃｋ」となっており、裏面（ｂａｃｋ）であることが一目で分かる。
【００６１】
液晶表示部４１は、上述したように横長（縦幅に対する横幅の比が４／３以上）に形成されているため、表面の画像５０ｆと裏面の画像５０ｂを横に並べて大きく表示できる。また、並べた画像５０ｆ，５０ｂが重なるようなことも無い。
【００６２】
次に、図９の表示例について説明する。この表示例でも、液晶表示部４１は第一表示領域５８と第二表示領域５９に分けられている。第一表示領域５８には、選択されたファイルの全体画像（画像５０ｆ）が表示されており、その一部に選択表示部６０が表示されている。この選択表示部６０は、上下キー５４および左右キー５５（図１、図２参照）を操作することにより、移動表示することができる。そして第二表示領域５９には、選択表示部６０の拡大画像が表示される。例えば、全体画像を見ても文字が小さいため内容を認識できない場合であっても、拡大表示を見れば内容を認識できる。
【００６３】
次に、図１１，図１２のフローチャートを用いて、画像表示プログラム２２ａ、ファイル名表示プログラム２２ｂ、階層表示プログラム２２ｃ、別態様表示プログラム２２ｄ、拡大表示プログラム２２ｅ、一列表示プログラム２２ｆ、付加情報表示プログラム２２ｇ、表裏表示プログラム２２ｈの動作について説明する。まず、ステップＳ１では表示データ（データ、表示構成）を取得する。例えば、ＦＡＸによるデータ送信や、スキャナによる画像読取、コンピュータからのデータ送信などによって、表示データが取得される。次にＳ２に移り、表示モードの選択をユーザが行う。ここでは、ユーザが操作パネル４を操作することにより、液晶表示部４１に「内容確認表示モード」（図６）の表示をさせるのか、「全体確認表示モード」（図７）の表示をさせるのかを選択する。この操作により選択コマンド（内容確認表示モードか全体確認表示モードか）が発生し、Ｓ３においてこの選択コマンドを判別する。内容確認表示モードの場合はＳ４に移って表示データを取得し、図６の形式に従って画面表示する（Ｓ５）。また、Ｓ３で全体確認モードと判別された場合は、Ｓ６に移って表示データを取得し、図７の形式に従って画面表示する（Ｓ７）。
【００６４】
次にＳ８に移り、上下キー５４が入力されたか否かを判断する。ここで上下キー５４が入力された（ＹＥＳ）と判断した場合、Ｓ９に移って新しい表示データを取得し、Ｓ１０で表示内容を変更する。例えば内容確認表示モード（図６）を表示している時に上下キー５４を押下操作すると、グループ名５３が「○○＿０００１」から「○×＿０００１」に変わり、そのグループの画像５０が液晶表示部４１に表示される。また、全体確認表示モード（図７）を表示している時に上下キー５４を押下操作すると、選択中のファイル名５１が上下に動き、その選択された画像５０が第二表示領域５９に表示される。Ｓ８〜Ｓ１０の処理は、これらの表示動作に対応したものである。
【００６５】
Ｓ８でＮＯと判断した場合、Ｓ１１に移り、左右キー５５が入力されたか否かを判断する。ここで左右キー５５が入力された（ＹＥＳ）と判断した場合、Ｓ１２に移って新しい表示データを取得し、Ｓ１０で表示内容を変更する。例えば内容確認表示モード（図６）を表示している時に左右キーを押下操作すると、選択中の画像５０が左右に動く。また、５ページ目以降の画像５０が存在する場合は、右側へ押し続けると、５ページ目以降の画像５０が表示される。Ｓ１１〜Ｓ１３は、この表示動作に対応したものである。
【００６６】
また、Ｓ１１でＮＯと判断した場合、Ｓ１４に移り、ｓｔｏｐキーが入力されたか否かを判断する。ｓｔｏｐキーが入力された場合、待機画面になる（Ｓ１５）。また、ｓｔｏｐキーが入力されない場合はＳ１６に移り、画像が選択されたか否かを判断する。操作パネル４の決定キー６１（図１，図２参照）をユーザが押下すると、画像５０が選択され、Ｓ１７の処理が開始される。
【００６７】
図１２に、Ｓ１８以降の詳細なフローチャートを示す。まず、Ｓ１８では選択された画像データを取得し、Ｓ１９で片面画像か両面画像かを判断する。両面画像の場合はＳ２０に進み、表示データ（データ、表示構成）を取得した後、図８の形式に従って表示を行う（Ｓ２１）。次にＳ２２に移り、左右キー５５が入力されたか否かの判断を行う。左右キー５５が入力された（ＹＥＳ）場合、Ｓ２３にて新しい表示データを取得し、Ｓ２４で表示内容を変更する。この結果、例えば図８の表示例で左右キー５５を押下すると、表面の画像５０ｆと裏面の画像５０ｂの選択が切り替わる。
【００６８】
Ｓ２２でＮＯの場合はＳ２５に移り、ｓｔｏｐキーが入力されたか否かを判断する。ここでＹＥＳの場合は終了（Ｓ２６）になる。ＮＯの場合はＳ２７に移動し、画像が選択されたか否かを判断する。操作パネル４の決定キー６１（図１，図２参照）をユーザが押下すると、画像５０が選択され、Ｓ２７にてＹＥＳとなり、Ｓ２８に進む。
【００６９】
一方、Ｓ１９で片面画像と判断された場合はＳ２０〜Ｓ２７の処理を行わず、Ｓ２８に移る。Ｓ２８では表示データ（データ、表示構成）を取得し、その後、図９の構成に従って画像表示を行う（Ｓ２９）。
【００７０】
その後Ｓ３０に移り、上下キー５４または左右キー５５が入力されたか否かを判断する。上下キー５４または左右キー５５が入力された（ＹＥＳ）場合、Ｓ３１に移って表示データを再取得し、Ｓ３２で表示内容の拡大表示を行う。この結果、例えば図９の表示例で上下キー５４と左右キー５５を入力すると、選択表示部６０が移動表示され、その拡大図が第二表示領域５９に表示される。
【００７１】
Ｓ３０でＮＯの場合はＳ３３に移り、ｓｔｏｐキーが入力されたか否かを判断する。ＹＥＳの場合はＳ３４に移って終了し、ＮＯの場合はＳ３０に戻る。
【００７２】
以上説明したように本発明の複合機１は、図６の内容確認表示モードと、図７の全体確認モードのどちらを表示するか先ずユーザに決定させ（Ｓ３）、これらの表示を使って目的の画像５０を選択させる（Ｓ８〜Ｓ１６）。画像５０が選択されると、その画像５０が両面データの場合は図８の表示がなされる。（Ｓ２０〜Ｓ２７）。片面データの場合は図９の表示がされ、拡大画像を見ることができるようになる（Ｓ２８〜Ｓ３２）。つまり、ユーザは内容確認表示モードと全体確認モードのどちらかを使って目的とする画像５０を表示でき、両面データの場合は表面と裏面のどちらかを決定でき、その後、拡大表示させることができる。液晶表示部４１に全体の画像５０を表示させた場合は、文字が小さいと内容を把握しにくいが、このように拡大画像を見ることにより、その内容を理解することが可能になる。
【００７３】
本発明の複合機１によれば、例えばＦＡＸにより送られたデータの中から、必要なページだけを選択して印刷させることができる。また、スキャナ部３で取り込んだデータの中から、所望のページだけを選択して印刷したり、ＦＡＸ送信したりすることができる。
【図面の簡単な説明】
【００７４】
【図１】本発明に係る多機能装置の外観構成を示す斜視図。
【図２】多機能装置の原稿カバーが開けられた状態を示す斜視図。
【図３】多機能装置のブロック図の例。
【図４】操作パネルの部分平面図。
【図５】ＲＯＭに記憶されているプログラムの例。
【図６】内容確認表示モードの例。
【図７】全体確認表示モードの例。
【図８】両面画像表示の例。
【図９】１画像詳細表示の例。
【図１０】画像の構成例。
【図１１】全体の動作を示すフローチャート。
【図１２】図１１に続くフローチャート。
【符号の説明】
【００７５】
１  複合機
２  プリンタ部（画像記録部）
３  スキャナ部（画像読取部）
４  操作パネル
４１  液晶表示部
５０  画像
５０ｆ  表面の画像
５０ｂ  裏面の画像
５０ｌ  拡大表示された画像
５１  ファイル名
５２  ページ番号
５３  グループ名
５４  上下キー
５５  左右キー
５８  第一表示領域
５９  第二表示領域
６０  選択表示部
【図１】
2007259351.tif 000003
【図２】
2007259351.tif 000004
【図３】
2007259351.tif 000005
【図４】
2007259351.tif 000006
【図５】
2007259351.tif 000007
【図６】
2007259351.tif 000008
【図７】
2007259351.tif 000009
【図８】
2007259351.tif 000010
【図９】
2007259351.tif 000011
【図１０】
2007259351.tif 000012
【図１１】
2007259351.tif 000013
【図１２】
2007259351.tif 000014